(57)【要約】  【課題】  槽洗浄コースを有する洗濯機において、使用者が槽洗浄を行ないたいタイミングに合わせて表示できるようにする。  【解決手段】  槽洗浄コースを含む運転コース等をキー入力手段１６により設定し、運転コースの設定状態を表示手段１７により表示し、制御手段１４により洗い、すすぎ、脱水の一連の行程を逐次制御し、制御手段１４からの指示により記憶手段１８に記憶する。制御手段１４は、運転回数およびキー入力手段１６の所定の操作により設定回数を記憶手段１８に記憶させ、記憶手段１８に記憶させた運転回数と設定回数を比較し、運転回数が設定回数に達したときに表示手段１７により表示を行うようにする。【選択図】  図１
2005052280.tif 000002
【特許請求の範囲】
【請求項１】
槽洗浄コースを含む運転コース等を設定するキー入力手段と、運転コースの設定状態を表示する表示手段と、洗い、すすぎ、脱水の一連の行程を逐次制御する制御手段と、前記制御手段からの指示により記憶する記憶手段とを備え、前記制御手段は、運転回数および前記キー入力手段の所定の操作により設定回数を記憶手段に記憶させ、前記記憶手段に記憶させた運転回数と設定回数を比較し、運転回数が設定回数に達したときに前記表示手段により表示を行うようにした洗濯機。
【請求項２】
槽洗浄コースを含む運転コース等を設定するキー入力手段と、運転コースの設定状態を表示する表示手段と、洗い、すすぎ、脱水の一連の行程を逐次制御する制御手段と、前記制御手段からの指示により記憶する記憶手段とを備え、前記制御手段は、運転回数を記憶手段に記憶させるとともに、槽洗浄コースを運転したときの運転回数を設定回数として記憶手段に記憶させ、次回から前記記憶手段に記憶させた運転回数と設定回数を比較し、運転回数が設定回数に達したときに前記表示手段により表示を行うようにした洗濯機。
【請求項３】
制御手段は、槽洗浄コース運転後は、記憶手段の運転回数をリセットするようにした請求項１または２記載の洗濯機。
【請求項４】
運転開始前に、キー入力手段により槽洗浄コースを選択したときは、記憶手段に記憶されている運転回数を表示手段に表示するようにした請求項１記載の洗濯機。
【請求項５】
設定回数に達する前に表示手段により表示を行なうようにした請求項１〜３のいずれか１項に記載の洗濯機。
【請求項６】
槽洗浄コースを運転したときの運転回数が、予め制御手段に設定してある回数以下の場合は、設定回数として記憶させないようにした請求項２記載の洗濯機。
【請求項７】
運転回数は、洗い行程を含むコース設定時のみとした請求項１〜５のいずれか１項に記載の洗濯機。
【請求項８】
キー入力手段の所定の操作により、残りカウント数を表示できるようにした請求項１〜７のいずれか１項に記載の洗濯機。
【発明の詳細な説明】
【技術分野】
【０００１】
本発明は、槽洗浄コースを有する洗濯機に関するものである。
【背景技術】
【０００２】
従来、洗濯機は図１５に示すように構成していた。以下、その構成について説明する。
【０００３】
図１５に示すように、筐体１は、内部にサスペンション２により揺動自在に吊り下げ、外槽３内部には洗濯兼脱水槽４を回転自在に設け、洗濯兼脱水槽４の底部には撹拌翼５を回転自在に設け、駆動軸６に接続している。クラッチ７はモータ８の出力を撹拌翼５の駆動軸６に接続するか、洗濯兼脱水槽４に直結するのかを切り換えるものである。排水弁９は外槽３内の水を排水するものであり、給水弁１０は外槽３内に水道水を給水するものである。蓋１１は洗濯兼脱水槽４の上方に開閉自在に設け、衣類を投入する。
【０００４】
制御装置１２は、操作表示部を有し、運転コースの設定や運転の表示を行うことができ、使用者は好みの設定で運転を開始すると、洗い、すすぎ、脱水一連の行程を逐次制御して自動的に運転できるようにしている。
【０００５】
このとき、洗濯時の洗剤カスが洗濯兼脱水槽４の外側と外槽３の内側壁面に付着することが常であった。使用者にとってはこの場所は目に触れない場所であるために、気づかずに運転を繰り返し、結果として、汚れが積もっていった。この汚れを放置したままにしておくと黒かびが発生し、この黒かびが剥がれて洗濯中の衣類に付着していた。
【０００６】
この発生した黒かびを取り除くために、洗濯兼脱水槽４と外槽３を洗浄する専用の槽洗浄コースを設け、使用者に専用のクリーナーで槽洗浄コースを運転して洗浄するようにしていた。
【０００７】
この槽洗浄コースについて、図１６を参照しながら簡単に運転内容を説明する。槽洗浄コースは、通常のコースと同様に、洗い、すすぎ、脱水の行程で構成している。まず、使用者は、槽洗浄コース専用の塩素系クリーナーを洗濯兼脱水槽４の中に投入する。つぎに、操作表示部で槽洗浄コースを選択し、運転を開始する。洗い行程の初期の給水行程で、洗濯兼脱水槽４内に水道水を高水位まで入れる。次行程の撹拌で、このクリーナーをよくかき混ぜるために、数分間の撹拌を行なう。クリーナーが十分にかき混ぜられたところで、数分間のつけおき１行程に入る。次行程で再度数分間の撹拌を行い、数分間のつけおき２行程に入る。
【０００８】
この「撹拌、つけおき１、撹拌、つけおき２」の動作を１０時間繰り返すことにより、洗濯兼脱水槽４と外槽３の内側に付着した洗剤カスと黒かびを洗浄する。最後に数分間の撹拌を行い、次行程であるすすぎ行程に入る。すすぎ行程以降は通常の衣類洗濯時と同じ行程となる。
【０００９】
まず、排水行程により外槽３内の洗浄した洗剤カスと黒かびを機外へ排出する。つぎに、中間脱水１で洗濯兼脱水槽４を回転させ、水分を飛ばしてから、つぎに給水行程で水を溜め、すすぎ１で撹拌し、洗濯兼脱水槽４と外槽３の内側壁面に残っている洗剤カスと黒かびを洗い流す。以下、「排水、中間脱水２、給水、すすぎ２」「排水、中間脱水３、給水、すすぎ３」はこれらの動作の繰り返しで、洗濯兼脱水槽４と外槽３の内側壁面に残っている洗剤カスと黒かびをきれいに洗い流す。最後に脱水行程で、排水し、洗濯兼脱水槽４を回転させて水分を飛ばし運転を終了する。
【００１０】
使用者は洗剤カスと黒かびが発生することにより、槽洗浄コースを運転し、これを取り除いていたが、洗濯機を使用する限り、洗剤カスと黒かびは再度付着するために、この槽洗浄コースは定期的に運転することが常であった。これら槽洗浄コースの定期的な使用を知らせるために、運転回数が予め設定していた回数に達していた場合に、槽洗浄の時期を知らせる表示機能を有する洗濯機の提案があった（例えば、特許文献１参照）。
【特許文献１】特開２００２−２３９２８５号公報
【発明の開示】
【発明が解決しようとする課題】
【００１１】
しかしながら従来の構成では、運転回数が予め一義的に決定してあるために、どんな使用条件でも同じ運転回数で槽洗浄コースのお知らせ表示を行なっていた。実際には、この槽洗浄コースを運転するタイミングは使用者により異なり、黒かびが剥がれて衣類につき始めてから使用する人や、定期的に使用する人など千差万別であり、また使用者により洗剤のメーカー、種類、使用量、よく使う運転コース、さらには洗濯機が設置されている場所により黒かびが発生する条件も異なるため、槽洗浄コースの時期を知らせる表示が予め設定されてしまっていては、人によっては早すぎたり、人によっては遅すぎたりするという問題を有していた。
【００１２】
本発明は上記課題を解決するもので、使用者が槽洗浄を行ないたいタイミングに合わせて表示できるようにすることを第１の目的としている。
【００１３】
また、使用者の家庭に合った運転回数に設定回数を常に更新できるようにすることを第２の目的としている。
【課題を解決するための手段】
【００１４】
本発明は上記第１の目的を達成するために、槽洗浄コースを含む運転コース等をキー入力手段により設定し、運転コースの設定状態を表示手段により表示し、制御手段により洗い、すすぎ、脱水の一連の行程を逐次制御し、制御手段からの指示により記憶手段に記憶するよう構成し、制御手段は、運転回数およびキー入力手段の所定の操作により設定回数を記憶手段に記憶させ、記憶手段に記憶させた運転回数と設定回数を比較し、運転回数が設定回数に達したときに表示手段により表示を行うようにしたものである。
【００１５】
これにより、使用者は自分の好みに合わせて設定回数を記憶させることができ、その設定回数のたびに表示手段により表示することで、使用者が槽洗浄を行ないたいタイミングに合わせて表示することができる。
【００１６】
また、上記第２の目的を達成するために、槽洗浄コースを含む運転コース等をキー入力手段により設定し、運転コースの設定状態を表示手段により表示し、制御手段により洗い、すすぎ、脱水の一連の行程を逐次制御し、制御手段からの指示により記憶手段に記憶するよう構成し、制御手段は、運転回数を記憶手段に記憶させるとともに、槽洗浄コースを運転したときの運転回数を設定回数として記憶手段に記憶させ、次回から記憶手段に記憶させた運転回数と設定回数を比較し、運転回数が設定回数に達したときに表示手段により表示を行うようにしたものである。
【００１７】
これにより、使用者は洗濯機の汚れや黒かびの発生状態を確認した時点で槽洗浄コースを運転することで、次回からはこの運転回数で槽洗浄コースの表示をするため、使用者の家庭に合った運転回数に設定回数を常に更新することができる。
【発明の効果】
【００１８】
以上のように本発明の請求項１の発明によれば、槽洗浄コースを含む運転コース等をキー入力手段により設定し、運転コースの設定状態を表示手段により表示し、制御手段により洗い、すすぎ、脱水の一連の行程を逐次制御し、制御手段からの指示により記憶手段に記憶するよう構成し、制御手段は、運転回数およびキー入力手段の所定の操作により設定回数を記憶手段に記憶させ、記憶手段に記憶させた運転回数と設定回数を比較し、運転回数が設定回数に達したときに表示手段により表示を行うようにしたから、使用者は自分の好みに合わせて設定回数を記憶させることができ、その設定回数のたびに表示手段により表示することで、使用者が槽洗浄を行ないたいタイミングに合わせて表示することができる。
【発明を実施するための最良の形態】
【００１９】
本発明の請求項１に記載の発明は、槽洗浄コースを含む運転コース等を設定するキー入力手段と、運転コースの設定状態を表示する表示手段と、洗い、すすぎ、脱水の一連の行程を逐次制御する制御手段と、前記制御手段からの指示により記憶する記憶手段とを備え、前記制御手段は、運転回数および前記キー入力手段の所定の操作により設定回数を記憶手段に記憶させ、前記記憶手段に記憶させた運転回数と設定回数を比較し、運転回数が設定回数に達したときに前記表示手段により表示を行うようにしたものであり、使用者は自分の好みに合わせて設定回数を記憶させることができ、その設定回数のたびに表示手段により槽洗浄コースのお知らせを表示することで、使用者が槽洗浄を行ないたいタイミングに合わせて表示することができる。
【００２０】
請求項２に記載の発明は、槽洗浄コースを含む運転コース等を設定するキー入力手段と、運転コースの設定状態を表示する表示手段と、洗い、すすぎ、脱水の一連の行程を逐次制御する制御手段と、前記制御手段からの指示により記憶する記憶手段とを備え、前記制御手段は、運転回数を記憶手段に記憶させるとともに、槽洗浄コースを運転したときの運転回数を設定回数として記憶手段に記憶させ、次回から前記記憶手段に記憶させた運転回数と設定回数を比較し、運転回数が設定回数に達したときに前記表示手段により表示を行うようにしたものであり、使用者は洗濯機の汚れや黒かびの発生状態を確認した時点で槽洗浄コースを運転することで、次回からはこの運転回数で槽洗浄コースのお知らせを表示することができるため、使用者の家庭に合った運転回数に設定回数を常に更新することができる。
【００２１】
請求項３に記載の発明は、上記請求項１または２に記載の発明において、制御手段は、槽洗浄コース運転後は、記憶手段の運転回数をリセットするようにしたものであり、運転回数が設定回数になるたびに槽洗浄コースのお知らせを繰り返し表示することができる。
【００２２】
請求項４に記載の発明は、上記請求項１に記載の発明において、運転開始前に、キー入力手段により槽洗浄コースを選択したときは、記憶手段に記憶されている運転回数を表示手段に表示するようにしたものであり、使用者は槽洗浄コース選択時に、自分で入力した設定回数に対して、現在、運転回数が何回であるかを容易に把握することができる。
【００２３】
請求項５に記載の発明は、上記請求項１〜３に記載の発明において、設定回数に達する前に表示手段により表示を行なうようにしたものであり、使用者に槽洗浄コース運転のお知らせを前もってできるため、使用者は専用のクリーナー購入の準備ができるとともに、汚れや黒かびが発生する前に槽洗浄コースの運転を実施することもできる。
【００２４】
請求項６に記載の発明は、上記請求項２に記載の発明において、槽洗浄コースを運転したときの運転回数が、予め制御手段に設定してある回数以下の場合は、設定回数として記憶させないようにしたものであり、使用者が１回の槽洗浄コースに満足せず、連続または数日して再度槽洗浄コースを運転したとしても、間違って設定回数を書き換えることがなくなる。
【００２５】
請求項７に記載の発明は、上記請求項１〜５に記載の発明において、運転回数は、洗い行程を含むコース設定時のみとしたものであり、洗剤による汚れが発生する行程のみを運転回数としてカウントできる。
【００２６】
請求項８に記載の発明は、上記請求項１〜７に記載の発明において、キー入力手段の所定の操作により、残りカウント数を表示できるようにしたものであり、使用者は現在の状況をいつでも把握することができる。
【実施例】
【００２７】
以下、本発明の実施例について、図面を参照しながら説明する。なお、従来例と同じ構成のものは同一符号を付して説明を省略する。
【００２８】
（実施例１）
図１および図２に示すように、制御装置１３は、マイクロコンピュータなどで構成した制御手段１４を有し、制御手段１４は、パワースイッチング手段１５を介して、クラッチ７、モータ８、排水弁９、給水弁１０の動作を制御し、洗い、すすぎ、脱水の一連の行程を逐次制御するよう構成している。
【００２９】
キー入力手段１６は槽洗浄コースを含む運転コース等を設定するするもので、設定内容を制御手段１４に入力している。表示手段１７はキー入力手段１６により設定した運転コースの設定状態を表示するものである。記憶手段１８は、不揮発性メモリで構成し、制御手段１４からの指示により、書き込みと呼び出しが自由にできるようにしている。
【００３０】
制御装置１３は、図３に示すような操作表示部１９を有している。キー入力手段１６は、洗い時間設定スイッチ１６ａ、すすぎ回数設定スイッチ１６ｂ、脱水時間設定スイッチ１６ｃ、コース設定スイッチ１６ｄ、スタート／一時停止スイッチ１６ｅ、電源入りスイッチ１６ｆ、電源切りスイッチ１６ｇなどで構成し、表示手段１７は、洗い時間表示部１７ａ、すすぎ回数表示部１７ｂ、脱水時間表示部１７ｃ、コース表示部１７ｄ、残時間、異常報知表示部１７ｅ、槽洗浄お知らせ表示部１７ｆなどで構成している。
【００３１】
ここで、制御手段１４は、運転回数およびキー入力手段１６の所定の操作（コース設定スイッチ１６ｄを押した状態で電源入りスイッチ１６ｆをオンにする）により設定回数を記憶手段１８に記憶させ、記憶手段１８に記憶させた運転回数と設定回数を比較し、運転回数が設定回数に達したときに表示手段１７の槽洗浄お知らせ表示部１７ｆにより表示を行うようにしている。ここで、設定回数とは、使用者が何回運転した後に槽洗浄を実施するかを決定する回数のことで、槽洗浄お知らせ表示部１７ｆを点灯するまでの回数である。
【００３２】
また、制御手段１４は、槽洗浄コース運転後は、記憶手段１８の運転回数をリセットするようにしている。
【００３３】
上記構成において図４を参照しながら設定回数を記憶手段１８に記憶させる動作を説明する。まず、ステップ２０にてコース設定スイッチ１６ｄを押した状態で電源入りスイッチ１６ｆをオンにする。すると、ステップ２１で、制御手段１４は所定のキー入力操作があったと判断し、ステップ２２へ進み、設定回数を入力できるモードに入る。
【００３４】
例えば、使用者が運転回数３６５回後に、槽洗浄お知らせ表示部１７ｆを表示したいと考えた場合は、百の位の設定では洗い時間設定スイッチ１６ａを３回押し、十の位の設定ではすすぎ回数設定１６ｂを６回押し、一の位の設定では脱水時間設定スイッチ１６ｃを５回押す。このとき、３桁の７セグメントＬＥＤで構成した残時間、異常報知表示部１７ｅにそれら桁数に合わせた数字を表示させるとわかりやすくなる。
【００３５】
つぎに、使用者は電源切りスイッチ１６ｇを押すことにより、制御手段１４は使用者が３６５回を設定回数として選んだと判断し、記憶手段１８内部の「ＳＥＴＴＥＩ」に「３６５」を記憶させた後、ステップ３２へ進み、電源の切りを行なう。
【００３６】
つぎに、入力した設定回数に運転回数が達した場合に、槽洗浄お知らせ表示部１７ｆを表示させる動作について図５を参照しながら説明する。図５において、て運転回数は「０」回であるために、初期設定として、制御手段１４は記憶手段１８内部の「ＵＮＴＥＮ」に「０」を記憶させておく。
【００３７】
使用者は洗濯をするためにステップ２３で電源入りスイッチ１６ｆを押す。ステップ２４でコース設定スイッチ１６ｄを押して好みの運転コースを設定し、スタート／一時停止スイッチ１６ｅを押すことにより運転を開始する。ステップ２５へ進み、運転が終了するとステップ２６へ進み、運転回数を１回とし、制御手段１４は記憶手段１８内部の「ＵＮＴＥＮ」に「１」を入力する。
【００３８】
つぎに、ステップ２７へ進み、制御手段１４は設定回数と運転回数を比較する。制御手段１４が記憶手段１８内部の「ＳＥＴＴＥＩ」と「ＵＮＴＥＮ」に入力されている数を呼び出すと「ＳＥＴＴＥＩ」は「３６５」であり、「ＵＮＴＥＮ」は「１」であるために、ステップ２７の判定は「ＮＯ」となり、ステップ３２へ進み、電源を切りを行う。
【００３９】
使用者がつぎの洗濯をするために、ステップ２３で電源入りスイッチ１６ｆを押し、ステップ２４で好みの運転コースを設定し、スタート／一時停止スイッチ１６ｅを押すことにより運転が開始する。運転が終了するとステップ２５からステップ２６へ進み、制御手段１４は記憶手段１８内部の「ＵＮＴＥＮ」に運転回数「２」を入力する。ステップ２７では「ＳＥＴＴＥＩ」の「３６５」に達しないため、ステップ３２へ進み、電源の切りを行う。
【００４０】
以下、同様に、使用者が洗濯を行なうごとにステップ２６で、その運転回数を「ＵＮＴＥＮ」にカウントする。使用者が３６５回目の運転を行なうことにより、「ＵＮＴＥＮ」内は「３６５」となり、ステップ２７で「ＳＥＴＴＥＩ」＝「ＵＮＴＥＮ」が成立する。このとき、ステップ２８へ進み、今運転したコースが槽洗浄コースであったどうかの判定を行う。
【００４１】
これが通常の洗濯コースであるため、ステップ３１へ進み、槽洗浄お知らせ表示部１７ｆを点灯させるに設定にし、同時に槽洗浄お知らせ表示部１７ｆを点灯する。これにより、使用者は自分が設定した運転回数に到達したことを知ることができる。この槽洗浄お知らせ表示部１７ｆを点灯させる設定の記憶も制御手段１４が記憶手段１８内部に行い、電源が切られても記憶できるようにする。
【００４２】
使用者はつぎに洗濯をするために、ステップ２３で電源入りスイッチ１６ｆを押すと、制御手段１４はいつもの表示の他に、槽洗浄お知らせ表示部１７ｆを点灯させることができる。もし、ステップ２４の運転コース設定で槽洗浄コースを設定しなかったとしても、ステップ２５からステップ２６、ステップ２７、ステップ２８、ステップ３１と進むため、槽洗浄のお知らせ表示部点灯の設定は記憶手段１８内に記憶しつづける。
【００４３】
このように、運転回数が設定回数に到達すると、槽洗浄お知らせ表示部１７ｆを常に点灯しつづけられるので、使用者も常に槽洗浄コース運転の認識をしつづけることができる。そして、使用者がステップ２４の運転コース設定時に槽洗浄コースを設定し、運転することにより、ステップ２５から、ステップ２６、ステップ２７、ステップ２８、ステップ２９へと進み、槽洗浄お知らせ表示部１７ｆを消灯させる設定にして、ステップ３０にて記憶手段１８内の運転回数「ＵＮＴＥＮ」をリセットする。
【００４４】
これにより、次回の運転から槽洗浄お知らせ表示部１７ｆを消灯させることができ、運転回数も１からカウントが行えるので、以降同様に使用者が好みで入力した設定回数にあわせて、運転回数が到達するたびに繰り返し槽洗浄コース表示部１７ｆを点灯をさせることができる。
【００４５】
槽洗浄お知らせ表示部１７ｆを専用に設けることは、コストアップにつながるため、図６を用いて他の表示部で兼ねる場合の動作を説明する。まず、初期設定値として記憶手段１８内に「ＳＯＳＥＮ」を「１」に設定しておく。使用者は洗濯をするために、ステップ４０において電源入りスイッチ１６ｆを押す。ステップ４１で「ＳＯＳＥＮ」が「１」であるためステップ４３に進む、ステップ４３から４６までは、図４のステップ２４から２７と同様であるため説明を省略する。
【００４６】
ステップ４６で運転回数が設定回数に達すると、ステップ４６からステップ４７へ進み、今運転したコースが槽洗浄コースであったかどうかの判断を行い、槽洗浄コースでなかった場合は、ステップ５０へ進み、記憶手段１８内の「ＳＯＳＥＮ」を「０」に設定する。つぎに、ステップ３２へ進み電源を切りにする。
【００４７】
次回、使用者がステップ４０で電源を入れると、ステップ４１で「ＳＯＳＥＮ」が「０」であるため、ステップ４２へ進み、例えば、図３に示す３桁の７セグメントＬＥＤで構成した残時間、異常報知表示部１７ｅの２桁を使って「ＳＯ」文字を数秒間点滅させる。あらかじめ取り扱い説明書に「ＳＯ」点滅時のことを記入しておけば、使用者は設定した運転回数に到達したことを把握することができる。
【００４８】
使用者が槽洗浄コースを運転しなかった場合は、ステップ４７からステップ５０へ進み、記憶手段１８内の「ＳＯＳＥＮ」は「０」のままとなる。以後、図５の場合と同様に、使用者が槽洗浄コースを運転しない限り、電源入りスイッチ１６ｆを押した後に、ステップ４２で、「ＳＯ」表示を行う。この「ＳＯ」表示については特に限定せず、他の表示方法も可能である。
【００４９】
使用者が槽洗浄コースを運転することにより、ステップ４７からステップ４８へ進み、「ＳＯＳＥＮを「１」に設定し、ステップ４９へ進み運転回数の「ＵＮＴＥＮ」をリセットした後、ステップ３２で運転を終了する。
【００５０】
これにより、次回の運転からステップ４２による７セグメントＬＥＤで構成した残時間、異常報知表示部１７ｅによる「ＳＯ」がなくなり、運転回数も１からカウントが行えるので、以降同様に運転回数が設定回数に達した時点で繰り返し「ＳＯ」表示をさせることができ、かつ他の表示部にて代用し表示を行うことができ、コストアップを伴わないというメリットがある。
【００５１】
このように本実施例によれば、制御手段１４は、運転回数およびキー入力手段１６の所定の操作により設定回数を記憶手段１８に記憶させ、記憶手段１８に記憶させた運転回数と設定回数を比較し、運転回数が設定回数に達したときに表示手段１７により表示を行うようにしたので、使用者は自分の好みに合わせて設定回数を記憶させることができ、その設定回数のたびに表示手段１７により槽洗浄コースのお知らせを表示することで、使用者が槽洗浄を行ないたいタイミングに合わせて表示することができる。
【００５２】
また、制御手段は１４、槽洗浄コース運転後は、記憶手段１８の運転回数をリセットするようにしたので、運転回数が設定回数になるたびに槽洗浄コースのお知らせを繰り返し表示することができる。
【００５３】
（実施例２）
図１に示す制御手段１４は、運転回数を記憶手段１８に記憶させるとともに、槽洗浄コースを運転したときの運転回数を設定回数として記憶手段１８に記憶させ、次回から記憶手段１８に記憶させた運転回数と設定回数を比較し、運転回数が設定回数に達したときに表示手段１７により表示を行うようにしている。
【００５４】
また、制御手段１４は、槽洗浄コース運転後は、記憶手段１８の運転回数をリセットするようにしている。他の構成は上記実施例１と同じである。
【００５５】
上記構成において図７を参照しながら設定回数を記憶手段１８に記憶させる動作を説明する。まず、初期設定として記憶手段１８内の「ＵＮＴＥＮ」を「０」にしておく。ステップ５１において電源入りスイッチ１６ｆを押す。ステップ５２に進み、使用者が洗濯するために運転コースの選択を行い、スタート／一時停止スイッチ１６ｅを押すことにより運転が開始し、ステップ５３にて運転を終了するとステップ５４に進み、「ＵＮＴＥＮ」に「１」をカウントする。
【００５６】
ステップ５５で、運転したコースが槽洗浄コースであったどうかを判断するが、衣類の洗濯のコースであったためにステップ３２へ進み、電源を切り、終了する。以降、同様に使用者が衣類の洗濯のためのコースを運転し続けるごとに、ステップ５４でその運転回数をカウントしていく。
【００５７】
使用者の判断により、槽洗浄コースを運転したときにステップ５５からステップ５６へ進み、「ＵＮＴＥＮ」にカウントした運転回数を「ＳＥＴＴＥＩ」に設定回数として入力する。つぎにステップ５７へ進み運転回数をリセットする。
【００５８】
つぎに、運転回数が設定回数に達した場合に、槽洗浄のお知らせ表示部１７ｆを表示させる動作について図８を参照しながら説明する。なお、図８において、図５と同じ動作については同一符号を付して説明を省略する。
【００５９】
図８において、ステップ２６で運転回数をカウントし、ステップ２７で運転回数と設定回数の比較を行うが、洗濯機は使用年数が経つにつれて汚れも積もり易くなるため、使用者が運転回数が設定回数に達する前に槽洗浄コースを運転した場合であっても、ステップ２７から、ステップ３５、ステップ３６で、それまでの運転回数を設定回数に更新する。つぎに、ステップ３７で「ＵＮＴＥＮ」をリセットする。
【００６０】
また、別の場合として、運転回数が設定回数に到達し、槽洗浄お知らせ表示部１７ｆが点灯していても、使用者が槽洗浄コースを運転する必要性を感じずに通常の洗濯コースを運転しつづけ、ようやく槽洗浄コースを運転した場合であっても、ステップ５８で今回の運転回数を設定回数として更新することができるため、常に変化する使用者の好みに合わせて、かつ自動的に設定回数を変え、槽洗浄お知らせ表示部１７ｆの点灯のタイミングを変ることができる。
【００６１】
また、上記実施例１と同様に、槽洗浄お知らせ表示部１７ｆを専用に設けることはコストアップにつながるため、他の表示部で兼ねる場合の動作を図９に示すが、図６と図８の同一符号を付しているように、これらの動作を組み合わせたものであり、説明を省略する。
【００６２】
このように本実施例によれば、制御手段１４は、運転回数を記憶手段１８に記憶させるとともに、槽洗浄コースを運転したときの運転回数を設定回数として記憶手段１８に記憶させ、次回から記憶手段１８に記憶させた運転回数と設定回数を比較し、運転回数が設定回数に達したときに表示手段１７により表示を行うようにしたので、使用者は洗濯機の汚れや黒かびの発生状態を確認した時点で槽洗浄コースを運転することで、次回からはこの運転回数で槽洗浄コースのお知らせを表示することができるため、使用者の家庭に合った運転回数に設定回数を常に更新することができる。
【００６３】
また、制御手段１４は、槽洗浄コース運転後は、記憶手段１８の運転回数をリセットするようにしたので、運転回数が設定回数になるたびに槽洗浄コースのお知らせを繰り返し表示することができる。
【００６４】
（実施例３）
図１に示す制御手段１４は、運転開始前に、キー入力手段１６により槽洗浄コースを選択したときは、記憶手段１８に記憶されている運転回数を表示手段１７に表示するようにしている。他の構成は上記実施例１と同じである。
【００６５】
上記構成において図１０を参照しながら動作を説明する。ステップ８１にて、使用者が洗濯をするために電源入りスイッチ１６ｆを押し、ステップ８２にて運転コースを選択する。使用者が洗濯兼脱水槽４内部に黒かびを見つけ、槽洗浄コースを運転しようと判断し、コース設定スイッチ１６ｄで槽洗浄コースを選んだ場合、ステップ８３からステップ８４へ進み、現在記憶手段１８内に記憶している運転回数「ＵＮＴＥＮ」の値を「Ｊ」にする。
【００６６】
ステップ８５にて７セグメントＬＥＤで構成した残時間、異常報知表示部１７ｅに「Ｊ」の値を表示することにより、使用者は現時点の運転回数を容易に知ることができる。使用者はこの運転回数を知ることにより、最初に入力した設定回数に間違いがないかどうかの確認ができる。ステップ８６にてスタート／一時停止スイッチ１６ｅを押すことにより運転を開始し、ステップ８７にて残時間、異常報知表示部１７ｅの「Ｊ」を消去する。
【００６７】
このように本実施例によれば、運転開始前に、キー入力手段１６により槽洗浄コースを選択したときは、記憶手段１８に記憶されている運転回数を表示手段１７に表示するようにしているから、使用者は槽洗浄コース選択時に、自分で入力した設定回数に対して、現在、運転回数が何回であるかを容易に把握することができる。
【００６８】
（実施例４）
図１に示す制御手段１４は、設定回数に達する前に表示手段１７により表示を行うようにしている。他の構成は上記実施例１または２と同じである。
【００６９】
上記構成において図１１を参照しながら動作を説明する。なお、図５と同じ動作については同一符号を付して説明を省略する。
【００７０】
使用者が設定回数を３６５回で入力した場合、ステップ６０に示すように、Ｎに２０を入力しておくことにより、設定回数を２０回早い、３４５回に前倒しにできるため、使用者に槽洗浄コース運転のお知らせ表示を早くできるので、使用者は槽洗浄専用クリーナー購入の準備や、汚れや黒かびに関してより注意を払うことができる。
【００７１】
このように本実施例によれば、設定回数に達する前に表示手段１７により表示を行なうようにしたので、使用者に槽洗浄コース運転のお知らせを前もってできるため、使用者は専用のクリーナー購入の準備ができるとともに、汚れや黒かびが発生する前に槽洗浄コースの運転を実施することもできる。
【００７２】
（実施例５）
図１に示す制御手段１４は、槽洗浄コースを運転したときの運転回数が、予め制御手段１４に設定してある回数以下の場合は、設定回数として記憶させないようにしている。他の構成は上記実施例１または２と同じである。
【００７３】
上記構成において図１２を参照しながら動作を説明する。なお、図５と同じ動作については同一符号を付して説明を省略する。
【００７４】
ステップ３５にて運転回数が設定回数に到達する前に槽洗浄コースが終了した場合は、ステップ３８に進むが、前回の槽洗浄コースでの洗浄に満足できずに再度槽洗浄コースを運転する可能性もあるために、例えば「Ｍ」に「１０」を入力しておくことにより、１０回以内の運転であれば設定回数の更新を行わないので誤って設定回数を書き換えることを防止できる。
【００７５】
このように本実施例によれば、槽洗浄コースを運転したときの運転回数が、予め制御手段１４に設定してある回数以下の場合は、設定回数として記憶させないようにしたので、使用者が１回の槽洗浄コースに満足せず、連続または数日して再度槽洗浄コースを運転したとしても、間違って設定回数を書き換えることがなくなる。
【００７６】
（実施例６）
図１に示す制御手段１４は、運転回数は、洗い行程を含むコース設定時のみとしている。他の構成は上記実施例１または２と同じである。
【００７７】
上記構成において図１３を参照しながら動作を説明する。なお、図５と同じ動作については同一符番号を付して説明を省略する。
【００７８】
使用者がステップ２４の運転コース選択にて洗い行程を含まない運転コースを選択して運転した場合は、ステップ６１にてステップ２６を飛ばし、運転回数のカウントをしないため、洗剤による汚れが発生する運転のみをカウントすることが可能となる。
【００７９】
このように本実施例によれば、運転回数は、洗い行程を含むコース設定時のみとしたので、洗剤による汚れが発生する行程のみを運転回数としてカウントできる。
【００８０】
（実施例７）
図１に示す制御手段１４は、キー入力手段１６の所定の操作により、残りカウント数を表示できるようにしている。他の構成は上記実施例１または２と同じである。
【００８１】
上記構成において図１４を参照しながら動作を説明する。使用者が槽洗浄お知らせ表示部１７ｆが点灯するまでの残り回数を知りたい場合、脱水時間設定スイッチ１６ｃを押したままの状態でステップ７０に入り、電源入りスイッチ１６ｆを押す。つぎに、ステップ７１では、脱水時間設定スイッチ１６ｃを押したままの状態で電源入りスイッチ１６ｆが押されたため、制御手段１４は所定のキー入力操作があったと判断し、ステップ７２へ進む。つぎに、ステップ７２で、「ＳＥＴＴＥＩ」の入力値から「ＵＮＴＥＮ」の入力値の差分を「Ｌ」に入力する。ステップ７３にて７セグメントＬＥＤで構成した残時間、異常報知表示部１７ｅに「Ｌ」の値を表示させることにより、槽洗浄お知らせ表示部１７ｆが点灯するまでの残り数をいつでも確認することができる。
【００８２】
このように本実施例によれば、キー入力手段１６の所定の操作により、残りカウント数を表示できるようにしたので、使用者は現在の状況をいつでも把握することができる。
【図面の簡単な説明】
【００８３】
【図１】本発明の第１の実施例の洗濯機のブロック回路図
【図２】同洗濯機の断面図
【図３】同洗濯機の操作表示部の拡大正面図
【図４】同洗濯機の設定回数を記憶手段に記憶するときの動作フロチャート
【図５】同洗濯機の槽洗浄お知らせ表示部に表示するときの動作フロチャート
【図６】同洗濯機の他の例の槽洗浄お知らせ表示部に表示するときの動作フロチャート
【図７】本発明の第２の実施例の洗濯機の設定回数を記憶手段に記憶するときの動作フロチャート
【図８】同洗濯機の槽洗浄お知らせ表示部に表示するときの動作フロチャート
【図９】同洗濯機の他の例の槽洗浄お知らせ表示部に表示するときの動作フロチャート
【図１０】本発明の第３の実施例の洗濯機の要部動作フロチャート
【図１１】本発明の第４の実施例の洗濯機の要部動作フロチャート
【図１２】本発明の第５の実施例の洗濯機の要部動作フロチャート
【図１３】本発明の第６の実施例の洗濯機の要部動作フロチャート
【図１４】本発明の第７の実施例の洗濯機の要部動作フロチャート
【図１５】従来の洗濯機の断面図
【図１６】同洗濯機の槽洗浄コースのシーケンスを示す図
【符号の説明】
【００８４】
１４  制御手段
１６  キー入力手段
１７  表示手段
１８  記憶手段
【図１】
2005052280.tif 000003
【図２】
2005052280.tif 000004
【図３】
2005052280.tif 000005
【図４】
2005052280.tif 000006
【図５】
2005052280.tif 000007
【図６】
2005052280.tif 000008
【図７】
2005052280.tif 000009
【図８】
2005052280.tif 000010
【図９】
2005052280.tif 000011
【図１０】
2005052280.tif 000012
【図１１】
2005052280.tif 000013
【図１２】
2005052280.tif 000014
【図１３】
2005052280.tif 000015
【図１４】
2005052280.tif 000016
【図１５】
2005052280.tif 000017
【図１６】
2005052280.tif 000018